(57)【要約】【課題】不要な回路がなく、タイプの異なる火災受信機に対応できる火災発信機を提供することを目的とする。【解決手段】  共通線Ｃ、応答線Ａおよび信号線Ｌによって火災受信機と接続され、押し釦を操作することによって火災受信機に火災信号を送る火災発信機において、応答灯を有し、押し釦が操作されたときに、応答灯を点灯させる応答灯点灯回路と、前記応答線に流れる電流を増加させる抵抗値切替回路とを備える。この抵抗値切替回路は、応答灯点灯回路に着脱可能なアダプタからなり、火災受信機の種類に応じてアダプタを着脱させる。【選択図】図１
2013210984.tif 000002
【特許請求の範囲】
【請求項１】
共通線、応答線および信号線によって火災受信機と接続され、押し釦を操作することによって前記火災受信機に火災信号を送る火災発信機において、
応答灯を有し、前記押し釦が操作されたときに、前記応答灯を点灯させる応答灯点灯回路と、
前記応答線に流れる電流を増加させる抵抗値切替回路と、を備え、
前記抵抗値切替回路は、前記応答灯点灯回路に着脱可能なアダプタからなることを特徴とする火災発信機。
【請求項２】
前記火災受信機に設けられた発信機応答回路が、前記応答線に直接発信機用リレーが設けられた回路の場合には、前記応答灯点灯回路に前記アダプタが接続され、
前記火災受信機に設けられる発信機応答回路が、前記応答線にトランジスタを介して発信機用リレーが設けられた回路の場合には、前記応答灯点灯回路から前記アダプタが取り外されることを特徴とする請求項１記載の火災発信機。
【請求項３】
前記抵抗値切替回路は、前記火災受信機に設けられ、前記押し釦が操作されるときに動作する発信機用リレーを動作させるのに必要な電流を流すことを特徴とする請求項１又は２記載の火災発信機。
【発明の詳細な説明】
【技術分野】
【０００１】
本発明は、火災発信機に関するものである。
【背景技術】
【０００２】
火災報知設備は、火災感知器、火災発信機（以下、発信機という）、および火災受信機等から構成される。火災を検出する火災感知器と、手動により火災を通報する発信機とは、共通線及び信号線からなる感知器回線で火災受信機と接続されている。さらに、発信機と火災受信機間には応答線が設けられている。
【０００３】
一般的に、発信機は信号線と応答線上で接点構成となっている。発信機の押し釦が操作されるとその接点が閉じることで感知器回線の電圧が低下し、火災受信機はその電圧の変化を火災信号として判別する。
【０００４】
発信機の火災信号は火災感知器の火災信号と同じであることから、火災受信機側で発信機の火災信号であることを識別するために、発信機から火災受信機側に応答線を配線し、そこにも信号を送ることにより発信機からの信号と火災感知器からの信号とを区別する方式をとっている。（例えば、特許文献１参照）
ここで、図４及び図５を用いて、火災報知設備のシステムについて説明する。図４は後述する従来型火災受信機の発信機応答回路の回路図である。図５は従来の発信機を備えたシステムのブロック図である。
【０００５】
［従来型火災受信機１００について］
図５において、火災受信機（以下、従来型火災受信機１００と称する。）は、発信機５０と応答線Ａで接続される発信機応答回路１２と、信号線Ｌで接続される火災受信回路１６とを有する。
【０００６】
発信機は押し釦を有し、この押し釦を押すことで共通線Ｃと信号線Ｌ間、及び共通線Ｃと応答線Ａ間を短絡させる接点部を備えている。また、発信機は応答線Ａに接続され、図示しない応答灯を点灯させる応答灯点灯回路を備えている。
【０００７】
火災受信回路１６は図示しない火災リレーＦを有する。火災感知器２０の動作又は発信機５０の操作により内部の接点構造が閉じられると、共通線Ｃ及び信号線Ｌからなる感知器回線の電圧が低下して火災受信回路１６に電流が流れると、火災リレーＦのコイルに通電し、火災リレーＦが動作する。
【０００８】
図４に示すように、発信機応答回路１２は、火災受信回路１６の火災リレーＦが動作すると閉じられる接点ｆ、発信機用リレーＭ、発信機用リレーＭが動作すると閉じられる接点ｍ１及び接点ｍ２を有する。
【０００９】
［動作説明］
発信機５０の押し釦を操作すると、信号線Ｌと共通線Ｃからなる感知器回線が短絡し、感知器回線の電圧が低下する。火災受信回路１６はこの電圧の低下を火災信号として受信する。また電圧が低下することにより、火災受信回路１６には、火災リレーＦを動かせる大きな電流が流れ、火災リレーＦが動作する。そして、発信機応答回路１２の接点ｆが閉じて、電流が発信機用リレーＭのコイルを通電し、負極ＧＮＤまで流れる（矢印３２）。すると、発信機用リレーＭが動作し、接点ｍ１及び接点ｍ２が閉じる。接点ｍ２が閉じると、接点ｍ２を通る電流は常に発信機用リレーＭに流れ、発信機用リレーＭは自己保持する。接点ｍ１が閉じると正極＋と負極ＧＮＤが接続され、正極＋から発信機５０内を流れて火災受信機１００に戻ってきた電流は、抵抗値の高い発信機用リレーＭには流れず、接点ｍ１を通って負極ＧＮＤまで流れる（矢印３４）。そして、発信機に設けられた図示しないＬＥＤからなる応答灯には、発信機用リレーＭを通らなくなった分、高い電圧がかかり、応答灯が点灯する。
【先行技術文献】
【特許文献】
【００１０】
【特許文献１】特開昭６０−２６４２３９号公報
【発明の概要】
【発明が解決しようとする課題】
【００１１】
火災受信機の発信機応答回路１２の回路構成は２通りある。１つ目は上述の通りで、図４に示すような回路構成を持つ従来型火災受信機１００であり、発信機応答回路１２を構成する発信機用リレーＭと応答線Ａが直接接続されているタイプである。このタイプの火災受信機のことを従来型火災受信機１００と呼ぶ。２つ目は従来型火災受信機１００より後に開発されたもので、図３に示すような回路構成を持つ火災受信機であり、発信機応答回路１２を構成する発信機用リレーＭがトランジスタＱ３を介して応答線Ａと接続されるタイプである。以下、このタイプの火災受信機のことを現行型火災受信機２００と呼ぶ。
【００１２】
従来型火災受信機１００では発信機用リレーＭを動かすために、所定値以上の電流、例えば１５〜１７ｍＡの電流を流さなくてはならなかった。そこで従来型火災受信機１００は後述する抵抗値切替回路６と同様の回路を応答灯点灯回路４と並列に接続して、大きな電流が流れるようにしていたが、現行型火災受信機２００ではトランジスタによって電流を増幅させるため、共通線Ｃ及び応答線Ａからなる発信機回線に流れる電流は、従来型火災受信機１００に比べて小さくしても後述する発信機用リレーＭを動かすことができる。
【００１３】
ところで、ビル等の設備には、現行型火災受信機２００が設置される場合もあるが、従来型火災受信機１００が設置されていることもある。そこで、発信機５０には抵抗値切替回路が設けられ、現行型火災受信機２００と従来型火災受信機１００のどちらにも接続できるようになっている。従来型火災受信機１００の場合は、発信機用リレーＭを動かすために応答線Ａに所定値以上の電流を流す必要があり、そのために発信機５０側に抵抗値切替回路を設けている。
【００１４】
しかし、この発信機５０は現行型火災受信機２００に接続された場合、発信機５０に設けられている抵抗値切替回路６に相当する回路なしで、発信機回線内に流れる電流は小さくても発信機用リレーＭを動作させることが可能となっている。つまり、この発信機５０を現行型火災受信機２００に接続する場合、従来型火災受信機１００でのみ使用する抵抗値切替回路が不要な回路となる。
【００１５】
本発明は、以上のような課題を解決するためになされたもので、どのタイプの火災受信機に接続する場合であっても不要な回路がなく、また製品のラインナップを増やして管理が大変になることもない発信機の提供を目的としている。
【課題を解決するための手段】
【００１６】
本発明は、共通線、応答線および信号線によって火災受信機と接続され、押し釦を操作することによって火災受信機に火災信号を送る火災発信機において、応答灯を有し、押し釦が操作されたときに、応答灯を点灯させる応答灯点灯回路と、応答線に流れる電流を増加させる抵抗値切替回路と、を備え、抵抗値切替回路は、応答灯点灯回路に着脱可能なアダプタからなることを特徴とするものである。
【発明の効果】
【００１７】
本発明に係る発信機によれば、着脱可能な抵抗値切替回路をアダプタとして設けるので、従来型火災受信機の場合にのみ抵抗値切替回路を有するアダプタを取り付ければよく、不要な回路が生じることがない。また、発信機とアダプタでどのタイプの火災受信機にも対応できるので、製品のラインナップを増やす必要もなく、管理が大変になることはない。
【図面の簡単な説明】
【００１８】
【図１】本発明の火災発信機のブロック図である。
【図２】本発明の発信機の回路図である
【図３】現行型火災受信機の発信機応答回路の回路図である。
【図４】従来型火災受信機の発信機応答回路の回路図である。
【図５】従来の発信機を設けたシステムのブロック図である。
【発明を実施するための形態】
【００１９】
以下、本発明の実施の形態を図面に基づいて説明する。図１は、本発明の火災発信機１のブロック図を示したものである。従来技術で説明したように、発信機１は、共通線Ｃ、応答線Ａおよび信号線Ｌによって火災受信機１００又は２００と接続されており、発信機の押し釦を操作することで、火災受信機に火災信号を送ることができる。
【００２０】
発信機１は、応答灯点灯回路４と、抵抗値切替回路６とを有する。応答灯点灯回路４は、応答灯８を有し、押し釦が操作されたときに、応答灯８を点灯させる回路である。また、抵抗値切替回路６は、発信機回線全体の抵抗値を切り替えて発信機回線に流れる電流を大きくするための回路である。抵抗値切替回路６は、応答灯点灯回路４の端子部に着脱可能なアダプタ５からなり、火災受信機の種類に応じて、応答灯点灯回路４に取り付けたり、取り外したりすることができる。
【００２１】
具体的には、火災受信機１００に設けられた発信機応答回路１２が、応答線Ａに直接発信機用リレーＭが設けられた回路の場合には、応答灯点灯回路４にアダプタ５が接続される。そして、火災受信機２００に設けられる発信機応答回路１４が、応答線Ａにトランジスタを介して発信機用リレーＭが設けられた回路の場合には、応答灯点灯回路４からアダプタが取り外される。以下に本発明の詳細について説明する。
【００２２】
［現行型火災受信機２００について］
図３は現行型火災受信機２００の発信機応答回路１４の回路図である。以下、図３を用いて現行型火災受信機２００の説明をする。
発信機応答回路１４には応答線Ａが接続され、応答線Ａと共通線Ｃとで、発信機の接点を介して発信機回線を形成している。発信機応答回路１４は発信機用リレーＭと、接点ｍと、トランジスタＱ３と、判定回路１８と、トランジスタＱ４とを有する。接点ｍは発信機用リレーＭの動作によって閉じる接点である。判定回路１８と応答線Ａと負極ＧＮＤはトランジスタＱ３を介して接続される。また、判定回路１８と発信機用リレーＭと電源はトランジスタＱ４を介して接続される。判定回路１８は、トランジスタＱ３のコレクタ側に接続され、トランジスタＱ３のコレクタ側の電圧を監視している。
【００２３】
判定回路１８は、発信機が操作されたことで共通線Ｃ及び信号線Ｌからなる感知器回線の電圧が低下したことと、トランジスタＱ３が動作したことの両方を認識すると、トランジスタＱ４に微弱な電流を流すものである。判定回路１８はマイクロプロセッサ等で構成される。
【００２４】
発信機が操作されて矢印３６のように応答線ＡからトランジスタＱ３に微弱な電流が流れると、トランジスタＱ３が動作し、コレクタ側の電圧が低下する。判定回路１８は、トランジスタＱ３が動作したことによる電圧の低下と、発信機の操作によって共通線Ｃ及び信号線Ｌからなる感知器回線が短絡したことによる感知器回線の電圧の低下との両方を認識して、トランジスタＱ４に微弱な電流を流す。トランジスタＱ４が動作すると、発信機用リレーＭを動作させるのに必要な所定値以上の電流が流れ、発信機用リレーＭが動作する。発信機用リレーＭが動作すると、接点ｍが閉じ、それまで矢印３８のように抵抗のある回路と通っていた電流は、矢印４０のように、接点ｍを介して抵抗のない回路を通ることになる。つまり、トランジスタＱ３が設けられているため、現行型火災受信機２００は、従来型火災受信機１００に比べて、発信機回線内における電流が微弱なもので発信機用リレーを動かすことができる。言い換えると、応答線Ａに大きな電流を流さなくても、発信機用リレーＭを動作させることができる。なお、発信機用リレーＭを動作させるために、発信機用リレーＭのコイルに流す電流の大きさは、従来型火災受信機１００と変わらない。
【００２５】
［発信機１について］
以下、本発明の発信機１について図２を用いて説明する。
発信機１は、無極性化回路２と、応答灯点灯回路４を備えている。応答線Ａと共通線Ｃは、無極性化回路２を介して応答灯点灯回路４と接続される。また、発信機１に接続可能で、抵抗値切替回路６が設けられたアダプタ５を有する。
【００２６】
応答灯点灯回路４にはＬＥＤからなる応答灯８と抵抗が接続される。ＬＥＤは極性があり、また、一定以上の電圧がかかると点灯するという特性がある。また、抵抗値切替回路６を有するアダプタ５を接続する接続端子としての接続部７を有している。
【００２７】
無極性化回路２は４つのダイオードからなるダイオードブリッジで構成される。無極性化回路２により、応答灯８であるＬＥＤの極性をなくすことができる、言い換えると共通線Ｃ及び応答線Ａを発信機１に接続する際、それぞれを逆の端子に接続しても問題なくＬＥＤを点灯させることができる。
【００２８】
抵抗値切替回路６は応答灯点灯回路４に接続する接続部７を有している。また、抵抗値切替回路６は、抵抗Ｒ１、Ｒ２及びＲ３並びにトランジスタＱ１及びＱ２を有する回路からなっている。
【００２９】
抵抗Ｒ１、Ｒ２及びＲ３は抵抗値の低い方から抵抗Ｒ１、抵抗Ｒ２、抵抗Ｒ３となっており、並列に接続される。抵抗Ｒ１と抵抗Ｒ２と無極性化回路２はトランジスタＱ１を介して接続される。抵抗Ｒ２と抵抗Ｒ３と無極性化回路２はトランジスタＱ２を介して接続される。また、トランジスタＱ２と並列に、つまりトランジスタＱ２のベース−エミッタ間にコンデンサが接続される。
【００３０】
［発信機１を従来型火災受信機１００に接続するときの動作説明］
発信機１を従来型火災受信機１００に接続する場合について説明する。
先ず、発信機１の応答灯点灯回路４に設けられる接続部７に、抵抗値切替回路６を有するアダプタ５を接続する。アダプタ５を接続した発信機１の押し釦が押されると、発信機１内に設けられる応答線Ａ及び信号線Ｌの接点が閉じる。信号線Ｌが閉じることで信号線Ｌ及び共通線Ｃからなる感知器回線にかかる電圧が低下する。この電圧の低下により、従来型火災受信機１００の火災受信回路１６に火災リレーＦを動作させる程度の電流が流れ、火災リレーＦの動作により、発信機応答回路１２に設けられる接点ｆが閉じる。接点ｆが閉じると、応答線Ａと共通線Ｃからなる発信機回線が形成され、電流が流れる。
【００３１】
次に、応答線Ａと共通線Ｃからなる発信機回線が形成されると、発信機１では、電流が無極性化回路２、応答灯点灯回路４、抵抗値切替回路６を流れる。電流が流れる回路が抵抗値の高い発信機用リレーＭを含んでいるときは、応答灯点灯回路４では、ＬＥＤからなる応答灯８に、ＬＥＤを点灯させるほどの電圧はかからない。また、抵抗値切替回路６では、抵抗Ｒ２に電流が流れて、抵抗Ｒ１と抵抗Ｒ２を接続しているトランジスタＱ１が動作し、増幅された電流は発信機応答回路１２に設けられる発信機用リレーＭを通って負極ＧＮＤに流れる（矢印３２）。抵抗値切替回路６のトランジスタＱ１によって増幅された電流により、発信機応答回路１２の発信機用リレーＭが動作し、発信機応答回路１２に設けられる接点ｍ１及びｍ２が閉じる。さらに、抵抗値切替回路６では、抵抗Ｒ３を通った電流はトランジスタＱ２に流れず、トランジスタＱ２と並列に設けられるコンデンサに蓄電される。
【００３２】
最後に、接点ｍ１が閉じることにより、発信機応答回路１２では、電流は抵抗値の高い発信機用リレーＭを通らず、抵抗のない接点ｍ１を通り負極ＧＮＤに流れる（矢印３４）。応答灯点灯回路４では、発信機用リレーＭを通らなくなった分だけＬＥＤからなる応答灯８にかかる電圧が上がり、応答灯８が点灯する。また、抵抗値切替回路６では、トランジスタＱ２に並列に設けられるコンデンサの蓄電が、トランジスタＱ２が動作するために十分な電圧、例えば０．６Ｖになり、抵抗Ｒ３を通る電流がトランジスタＱ２に流れる。トランジスタＱ２が動作すると抵抗Ｒ２からトランジスタＱ２を介して負極ＧＮＤまで流れる電流が増幅される。そのため、抵抗Ｒ２からトランジスタＱ１には電流が流れなくなり、トランジスタＱ１の動作は停止する。
【００３３】
抵抗値切替回路６は応答灯点灯回路４と並列に接続されているため、アダプタ５を接続した方が発信機回線に流れる電流は大きくなる。これは、従来型火災受信機１００が、応答線Ａと発信機リレーＭとが直接接続されており、発信機リレーＭを動作させるための所定値以上の電流を発信機回線に流すためである。発信機リレーＭが動作した後は、発信機リレーＭは自己保持するので、発信機回線内に流れる電流を小さくしても良く、そのため抵抗値切替回路６により、抵抗値の低い抵抗Ｒ１から高い抵抗Ｒ２に抵抗を切り替えている。つまり、抵抗値切替回路６は、発信機用リレーＭを動かすために、発信機用リレーＭが動作するまではアダプタ５を接続する前より大きな電流を流し、発信機用リレーＭが動作したら、発信機用リレーＭが動作する前よりも発信機回線に流れる電流を小さくしている。
【００３４】
［発信機１を現行型火災受信機２００に接続するときの動作説明］
発信機１を現行型火災受信機２００に接続する場合について説明する。
先ず、発信機１は抵抗値切替回路６を有するアダプタ５を接続しない状態で現行型火災受信機２００に接続する。つまり、発信機１は、無極性化回路２とＬＥＤである応答灯８を有する応答灯点灯回路４とからなる。アダプタを接続していない発信機１の押し釦が押されると、発信機１内に設けられる応答線Ａ及び信号線Ｌの接点が閉じる。信号線Ｌが閉じることで信号線Ｌ及び共通線Ｃからなる感知器回線にかかる電圧が低下する。この電圧の低下を発信機応答回路１４の判定回路１８が認識する。一方で、発信機１の操作により応答線Ａの接点が閉じると、応答線Ａと共通線Ｃからなる発信機回線に電流が流れるようになる。
【００３５】
次に、応答線Ａと共通線Ｃからなる発信機回線が形成されると、発信機１では、電流が無極性化回路２、応答灯点灯回路４を流れる。発信機用リレーＭの動作により接点ｍが閉じるまでは、電流は矢印３８のように抵抗を流れるので、応答灯８であるＬＥＤに、ＬＥＤを点灯させるほどの電圧はかからない。そして、現行型火災受信機２００の発信機応答回路１４では、電流は応答線Ａを通り、応答線Ａ、判定回路１８及び負極ＧＮＤを接続しているトランジスタＱ３まで流れてトランジスタＱ３を動作させる（矢印３６）。そして判定回路１８はトランジスタＱ３が動作することによるトランジスタＱ３のコレクタ側の電圧の低下を認識し、これと共に、信号線Ｌ及び共通線Ｃからなる感知器回線にかかる電圧の低下を認識していた場合には発信機用リレーＭを接続するトランジスタＱ４に微弱な電流を流す。トランジスタＱ４が動作して増幅された電流が発信機用リレーＭを流れて、発信機用リレーＭが動作する。つまり、発信機用リレーを動作させるために応答線Ａに流す電流（発信機回線に流す電流）は、従来型火災受信機１００より現行型火災受信機２００の方が微弱なもので済む。発信機用リレーＭが動作すると、接点ｍが閉じる。
【００３６】
最後に、接点ｍが閉じると、発信機応答回路１４では、矢印３８のように抵抗を通っていた電流は接点ｍを通り、負極ＧＮＤまで流れるようになる（矢印４０）。つまり、接点ｍが閉じると、発信機応答回路１４は抵抗値が小さいくなるため、接点ｍが閉じる前より閉じた後の方が、応答灯点灯回路４に高い電圧をかけることができ、応答灯８であるＬＥＤが発光する。
【００３７】
現行型火災受信機２００に、抵抗値切替回路６を備えたアダプタ５を接続しないのは、現行型火災受信機２００の発信機用リレーＭがトランジスタＱ３、判別回路１８及びトランジスタＱ４を介して応答線Ａと接続しているので、トランジスタＱ３に微弱な電流を流せば発信機用リレーＭが動作するからである。なお、抵抗値切替回路６を接続しない現行型火災受信機２００の応答線Ａに流れる電流は、抵抗値切替回路６を接続する従来型火災受信機１００の発信機用リレーＭが動作した後（流れる電流が抵抗Ｒ１から抵抗Ｒ２に切り替わった後）の応答線Ａに流れる電流よりも小さい。
【００３８】
［発信機１の有する効果］
本発明の発信機１は、抵抗値切替回路６を有するアダプタ５を発信機１に着脱自在としたことで、タイプの異なる火災受信機に接続する際にも不要な回路が存在しないようにできる。つまり、アダプタ５を着脱させることで、火災受信機の種類に応じた発信機となる。また、発信機１と抵抗値切替回路６を有するアダプタ５を生産すれば足り、製品のラインナップを増やすこともなく、管理が大変にならない。
【００３９】
また、従来型火災受信機１００にアダプタを接続した発信機１を既に設けていて、従来型火災受信機１００を現行型火災受信機２００にリニューアルする場合、アダプタ５は取り外しても良いが、取り外さなくても良い。アダプタ５を取り外さない場合でも発信機は動作するので、この場合、リニューアルが容易になる。
【符号の説明】
【００４０】
１  発信機、２  無極性化回路、４  応答灯点灯回路、５  アダプタ、６  抵抗値切替回路、７  接続部、８  応答灯、１２、１４  発信機応答回路、１６  火災受信回路、１８  判定回路、３２、３４、３６、３８、４０  矢印、５０  発信機、１００  従来型火災受信機、２００  現行型火災受信機、Ａ  応答線、Ｃ  共通線、Ｌ  信号線、Ｆ  火災リレー、Ｍ、Ｎ  発信機用リレー、ｆ  接点、ｍ１、ｍ２  接点、Ｒ１、Ｒ２、Ｒ３  抵抗、Ｑ１、Ｑ２、Ｑ３、Ｑ４  トランジスタ。
【図１】
2013210984.tif 000003
【図２】
2013210984.tif 000004
【図３】
2013210984.tif 000005
【図４】
2013210984.tif 000006
【図５】
2013210984.tif 000007